(57)【特許請求の範囲】
【請求項１】
液透過性の表面層、液不透過性の防漏層及び両層の間に介在する液保持性の吸収層を具備し、実質的に縦長に形成されてなる吸収性物品において、
使用時に使用者の排泄部に当接する部位における上記吸収層には、該吸収層を凸状の立体形状としてなる第１の隆起部が形成されていると共に、使用時に使用者の臀部に当接する部位における該吸収層には、該吸収層を凸状の立体形状としてなる第２の隆起部が形成されており、
上記の第１の隆起部と上記の第２の隆起部との間に可撓性領域が形成されており、
上記吸収性物品の長手方向における、上記の第１の隆起部が形成されている部位と上記の第２の隆起部が形成されている部位との間の上記吸収層には、該吸収層の幅方向の全域に亘って、上記の第１又は第２の隆起部に連続する隆起部が形成されておらず、
上記可撓性領域は、上記吸収性物品の長手方向における長さが５〜１５ｃｍであり、
上記の第１の隆起部及び上記の第２の隆起部の曲げ剛性は、それぞれ、０．０２〜３ｍＮ・ｍであり、
上記可撓性領域の曲げ剛性は、上記の第１の隆起部の曲げ剛性の０．０２〜０．７倍であり且つ上記の第２の隆起部の曲げ剛性の０．０２〜０．７倍であることを特徴とする吸収性物品。
【請求項２】
上記可撓性領域の厚さは、０．５〜７．０mmであり、該可撓性領域の吸水量（試料１ｇ当たりの飽和吸水量）は、１５〜３０ｇ／ｇであることを特徴とする請求項１記載の吸収性物品。
【請求項３】
上記の第１の隆起部及び上記の第２の隆起部の厚さは、それぞれ２〜３０mmであり、両者の吸水量（試料１ｇ当たりの飽和吸水量）は、それぞれ１５〜５０ｇ／ｇであることを特徴とする請求項１記載の吸収性物品。
【発明の詳細な説明】
【０００１】
【発明の属する技術分野】
本発明は、フィット性に優れ、漏れ防止性能が高い、生理用ナプキンや失禁パッドなどの吸収性物品に関する。
【０００２】
【従来の技術及び発明の解決しようとする課題】
従来より、生理用ナプキンや失禁パッドなどの吸収性物品としては、液透過性の表面層、液不透過性の防漏層及び両層の間に介在する液保持性の吸収層を具備し、実質的に縦長に形成されてなるものが広く用いられている。
このような吸収性物品は、フィット性を高くして漏れを防止することが要求されており、種々提案がなされている。
【０００３】
例えば、特開平５−１１５５０６号公報において、吸収性物品の長手方向全体に亘って吸収層を凸状に隆起させて形成された隆起部を有する吸収性物品が提案されている。
しかし、このように長手方向全体に亘って隆起部が設けられているものは、フィット性が不十分であり、漏れ防止性が十分ではなかった。
【０００４】
従って、本発明の目的は、フィット性が高く、漏れ防止性に優れた吸収性物品を提供することにある。
【０００５】
【課題を解決するための手段】
本発明者らは、特定の曲げ剛性を有する、２つの隆起部と両隆起部間に位置する可撓性部とを具備する吸収性物品が、上記目的を達成しうることを知見した。
【０００６】
本発明は、液透過性の表面層、液不透過性の防漏層及び両層の間に介在する液保持性の吸収層を具備し、実質的に縦長に形成されてなる吸収性物品において、使用時に使用者の排泄部に当接する部位における上記吸収層には、該吸収層を凸状の立体形状としてなる第１の隆起部が形成されていると共に、使用時に使用者の臀部に当接する部位における該吸収層には、該吸収層を凸状の立体形状としてなる第２の隆起部が形成されており、上記の第１の隆起部と上記の第２の隆起部との間に可撓性領域が形成されており、上記吸収性物品の長手方向における、上記の第１の隆起部が形成されている部位と上記の第２の隆起部が形成されている部位との間の上記吸収層には、該吸収層の幅方向の全域に亘って、上記の第１又は第２の隆起部に連続する隆起部が形成されておらず、上記可撓性領域は、上記吸収性物品の長手方向における長さが５〜１５ｃｍであり、上記の第１の隆起部及び上記の第２の隆起部の曲げ剛性は、それぞれ、０．０２〜３ｍＮ・ｍであり、上記可撓性領域の曲げ剛性は、上記の第１の隆起部の曲げ剛性の０．０２〜０．７倍であり且つ上記の第２の隆起部の曲げ剛性の０．０２〜０．７倍であることを特徴とする吸収性物品を提供するものである。
【０００７】
【発明の実施の形態】
以下、本発明の吸収性物品の好ましい一実施形態について詳細に説明する。
【０００８】
図１及び２に示す第１の実施形態の生理用ナプキン１は、液透過性の表面層２としての表面シート２１、液不透過性の防漏層４としての裏面シート４１及び両層の間に介在する液保持性の吸収層３としての吸収体３１を具備し、実質的に縦長に形成されてなる。
【０００９】
而して、本実施形態の生理用ナプキン１は、使用時に使用者の排泄部に当接する部位における吸収体３１には、凸状の立体形状としてなる第１の隆起部３２が形成されていると共に、使用時に使用者の臀部に当接する部位における吸収体３１には、吸収体３１を凸状の立体形状としてなる第２の隆起部３３が形成されており、第１の隆起部３２と第２の隆起部３３との間に可撓性領域３４が形成されており、第１の隆起部３２及び第２の隆起部３３の曲げ剛性は、それぞれ、０．０２〜３ｍＮ・ｍ、好ましくは０．２〜１．５ｍＮ・ｍであり、可撓性領域３４の曲げ剛性は、第１の隆起部３２の曲げ剛性の０．０２〜０．７倍、好ましくは０．０４〜０．３０倍であり且つ第２の隆起部３３の曲げ剛性の０．０２〜０．７倍、好ましくは０．０４〜０．３０倍である。
第１及び第２の隆起部３２，３３の曲げ剛性を０．０２ｍＮ・ｍ以上とするのは、装着時ヨレにくくし、経血漏れを防止するためであり、３ｍＮ・ｍ以下とするのは、剛性が高すぎることによる装着時違和感をなくすためである。また、可撓性領域３４の曲げ剛性を、第１の隆起部３２又は第２の隆起部３３の曲げ剛性の０．０２倍以上とするのは、剛性比が大きすぎて、可撓性領域が前後方によれやすくなるのを防止するためであり、０．７倍以下とするのは、剛性比を大きくし、十分な可撓性を得、体にフィットさせるためである。
ここで、上記曲げ剛性は、下記の如くして測定されるものである。
生理用ナプキンをナプキンの長手方向を縦方向として、縦７０ｍｍ×横１０ｍｍの大きさに切り出し、試料とする。試料を縦方向の上下部位を曲げ剛性測定装置〔ＴＡＢＥＲ  ＳＴＩＦＦＮＥＳＳ  ＴＥＳＴＥＲ：熊谷理機工業（株）〕に固定して、曲げ剛性を測定する（ｂｅｎｄｉｎｇ  ａｎｇｌｅ：１５°）。（尚、特に説明しない部分は、ＪＩＳ  Ｐ８１２５に準じる）。
【００１０】
更に詳述すると、本実施形態の生理用ナプキン１は、その長手方向中央部のやや前方部側における左右両側縁部が外方に延出されて左右一対のウイング部５が形成されてなる、いわゆるウイング型のナプキンである。
また、表面シート２１と裏面シート４１とは、それぞれほぼ同形状であり、生理用ナプキン１の平面形状と同型状である。
また、吸収体３１は、平面形状がほぼ長方形状となされている。生理用ナプキン１の左右両側部には、横漏れ防止用の防漏シート６１が吸収体３１と表面シート２１との間に配されている。吸収体３１の周縁部においては、表面シート２１と裏面シート４１とが、防漏シート６１を介して接合されている。ウイング部５においては、吸収体３１は存在しておらず、表面シート２１と裏面シート４１とを防漏シート６１を介して接合している。ここで、接合は、ヒートシールにより行っているが、この他、接着剤を用いて接合等することもできる。
また、裏面シート４１の表面には、粘着剤が塗布されて２本の細帯状のずれ止め部７が設けられている。
【００１１】
上記吸収体３１は、厚みの薄い吸収シート３１ａと、該吸収シート３１ａ上における所定箇所に配された、第１及び第２の隆起部３２，３３形成用の上層吸収体３１ｂ，３１ｃとからなる。即ち、可撓性領域３４は、吸収シート３１ａのみからなる。
【００１２】
可撓性領域３４の厚さＴ1 （図２参照）は、好ましくは０．５〜７．０ｍｍであり更に好ましくは１．０〜５．０ｍｍであり、該可撓性領域３４の吸収体３１の吸水量は、好ましくは１５〜３０ｇ／ｇであり、更に好ましくは２０〜３０ｇ／ｇである。
第１の隆起部３２及び第２の隆起部の厚さＴ2 ，Ｔ3 （図２参照）は、それぞれ好ましくは２〜３０ｍｍであり、更に好ましくは５〜１５ｍｍである。また、両者の吸水量は、それぞれ好ましくは１５〜５０ｇ／ｇであり、更に好ましくは２５〜４０ｇ／ｇである。
ここで、上記吸水量は、下記の如くして測定されるものである。
生理用ナプキンの吸収体を任意の大きさに切り出して試料とし、その重量を測定した後、使用面を上にして１７００μｍ（１０号）の金網上に置き、その全面にビーカーで静かに水を注ぎ、試料全体を完全に吸水させて、さらに水があふれるまで注入を続け（約３００ｍｌ）、１分間放置した後、吸水した試料の重量を測定する。ここで、吸収量は試料１ｇ当たりの吸水量を示し、下式で定義される。
吸水量（ｇ／ｇ）＝
〔（吸水後の試料重量）−（吸水前の試料重量）〕／（吸水前の試料重量）
【００１３】
本実施形態の生理用ナプキン１は、いわゆる夜用のナプキンであり、長さＬが好ましくは２５〜４０ｃｍである。本発明は、このような長さが長い吸収性物品に好適に適用される。
また、第１の隆起部３２の長さＬ1 は、３〜１５ｃｍとするのが好ましい。第２の隆起部３３の長さＬ2 は、５〜１０ｃｍとするのが好ましい。可撓性領域の長さＬ3 は、５〜１５ｃｍとする。
また、第１の隆起部３２の前方端縁から生理用ナプキンの前方端縁迄の距離Ｄは、３〜１０ｃｍとするのが好ましい。
第１の隆起部の幅Ｗ1 は、生理用ナプキン全体の幅を１とした時に、０．２〜０．５とするのが好ましい。また、第２の隆起部は、平面形状が三角形状であるため、その幅Ｗ2 は、生理用ナプキン全体の幅を１とした時に、最も幅の狭い部位を０．１〜０．３とし、最も幅の広い部位を０．５〜１．０とするのが好ましい。
【００１４】
次いで、上記生理用ナプキン１を構成する各部材の形成材料等について説明する。
表面シート２１、裏面シート４１及び防漏シート６１の形成材料としては、通常、生理用ナプキンなどの吸収性物品に用いられるものであれば特に制限なく用いることができる。
【００１５】
また、吸収体を構成する吸収シート３１ａは、下記の如く構成されている。
同一の又は異なる繊維集合体間に少なくとも高吸収性ポリマーを含有する吸収性シートからなる。ここで、「繊維集合体」とは、繊維を主体として形成され、シート状の形態となる繊維の集合体であり、通常の紙、不織布及び織布等を包含する。
上記繊維としては、木材パルプ、木綿パルプ及びワラパルプ等の天然セルロース繊維、レーヨン及びキュプラ等の再生セルロース繊維、ポリビニルアルコール繊維及びポリアクリロニトリル繊維等の親水性合成繊維、並びにポリエチレン繊維、ポリプロピレン繊維及びポリエステル繊維等の合成繊維を界面活性剤により親水化処理したもの等が挙げられる。
上記高吸収性ポリマーとしては、自重の２０倍以上の液体を吸収・保持でき且つゲル化し得るものが好ましく、その例としては、デンプンや架橋カルボキシメチル化セルロース、ポリアクリル酸及びその塩並びにポリアクリル酸塩グラフト重合体の粒子等を挙げることができる。特に、イオン浸透圧によって大量の液体を吸収保持し且つ吸収した液体が加圧下でも漏れ出さない様な水不溶性親水性架橋重合体粒子からなる高吸収性ポリマーが好ましい。該高吸収性ポリマーは、アクリル酸又はアクリル酸アルカリ金属塩（ナトリウム塩、カリウム塩）等を重合し、次いで架橋して水不溶化させることにより得られる。
【００１６】
上記吸収性シートは、ヨレの防止及び吸収性の向上の点から、その厚さが０．３〜５ｍｍであることが好ましく、また、高吸収性ポリマーの散布坪量は吸収性の向上の点から５〜３００ｇ／ｍ2 であることが好ましい。
【００１７】
特に好ましい吸収性シートは、親水性繊維及び熱溶融性接着繊維または紙力補強剤並びに高吸収性ポリマーから構成されている吸収性シートであって、上記高吸収ポリマーは、上記吸収性シートが液体を吸収する吸収表面に存在しておらず該吸収性シートの内部に分散配置されており、且つ該吸収性シートを構成する親水性繊維に接着し固定化されており、上記高吸収ポリマーの散布坪量が５〜３００ｇ／ｍ2 であり、上記吸収性シートの厚みが０．３〜１．５ｍｍである吸収性シートである。この中でもとりわけ好ましい吸収性シートは、上記の好ましい吸収性シートにおける親水性繊維が嵩高性を有し、上記高吸収性ポリマーの散布坪量が２０〜７０ｇ／ｍ2 である、吸収性シートである。
また、吸収体を構成する上層吸収体３１ｂ，３１ｃは、吸収シート３１ａで定義した上記吸収性シートもしくは上記繊維集合体からなるのが好ましい。この際、高吸収性ポリマーは含有してもしなくても良い。
【００１８】
上述の如く構成されてなる本実施形態の生理用ナプキン１は、その使用時において、ずれ止め部７を介してショーツなどの下着に装着して使用される。
そして、本実施形態の生理用ナプキン１は、上述の如く構成されているので、フィット性が良好である。また、可撓性領域も吸収力があるため吸収性にも優れたものである。更に、液流れ（特に後方への液流れ）が効果的に防止される。そして、装着感にも優れている。
【００１９】
本実施形態の生理用ナプキンは、吸収シート３１ａと上層吸収体３１ｂ，３１ｃとを積層した後、常法に従って、表面シート２１、防漏シート１  及び裏面シート４１を積層し、ヒートシールするなどして接合することにより得ることができる。
【００２０】
尚、本発明の吸収性物品は、上述の実施形態には何ら制限されるものではなく、種々変更可能である。
例えば、隆起部が３つ以上ある場合も好適なフィット性を得ることができる。
【００２１】
【実施例】
〔実施例１〜３及び比較例１、２〕
下記〔表１〕に示す曲げ剛性、曲げ剛性比及び厚みを有し、図１〜３に示す形態の生理用ナプキンを作成し、実施例１〜３とした。
別に、可撓性領域を有しないもの（比較例１）、隆起部が１つしかないもの（比較例２）を作成した。
各生理用ナプキンについて、２０人のモニターに着用してもらい、フィット性官能試験（評価基準は〔表１〕参照）を行った。その結果を〔表１〕に示す。
尚、各生理用ナプキンにおける隆起部はパルプを用いて形成し、厚み、坪量は、パルプの坪量を制御して調節した。また、吸収体全体の大きさは、長さ２８０mm×幅８０mmとし、ナプキン全体の大きさは、長さ３００mm×幅９０mmとした。
【００２２】
【表１】
0003748002.tif 000002
【００２３】
【発明の効果】
本発明の吸収性物品は、フィット性及び漏れ防止性に優れ、特に後からの液漏れを効果的に防止することができるものである。
【図面の簡単な説明】
【図１】図１は、本発明の吸収性物品の一実施形態を示す斜視図である。
【図２】図２は、図１のII-II 断面図である。
【図３】図３は、図１のIII-III 断面図である。
【図４】図４は、図１のIV-IV 断面図である。
【符号の説明】
１  生理用ナプキン
２  表面層
２１  表面シート
３  吸収層
３１  吸収体
３２  第１の隆起部
３３  第２の隆起部
３４  可撓性領域
４  防漏層
４１  裏面シート
５  ウイング部
６１  防漏シート
７  ずれ止め部
【図１】
0003748002.tif 000003
【図２】
0003748002.tif 000004
【図３】
0003748002.tif 000005
【図４】
0003748002.tif 000006